【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
血管プロテーゼ１０であって、
軸を規定する略管状本体１２を備え、該本体は、収縮状態および拡張状態になることが可能であり、該拡張状態における軸方向の長さおよび円周方向寸法を有し、
該本体は、
第１、第２、第３、および第４の円周方向要素を含む一連の円周方向要素１４であって、各円周方向要素は、第１の端部１６および第２の端部１８を有し、該第１の端部および該第２の端部は、円周方向に離間され、該円周方向要素の各々は、該第１の端部と該第２の端部との間で円周方向に延在する第１の長さ２０を有する、一連の円周方向要素１４と、
第１のコネクタ２２および第２のコネクタ２４と
を備え、
該第１のコネクタ２２および該第２のコネクタ２４は、交互する隣接する円周方向要素１４の端部を結合し、該第１のコネクタ２２が、該第１円周方向要素の第１の端部１６と該第２の円周方向要素の第１の端部１６とを結合し、かつ、該第３の円周方向要素の第１の端部と該第４の円周方向要素の第１の端部とを結合し、該第２のコネクタ２４が、該第２の円周方向要素の第２の端部１８と該第３の円周方向要素の第２の端部１８とを結合し、それによって、該円周方向要素１４および該コネクタ２２、２４の略蛇行パターンを生成し、
該第１のコネクタ２２は、円周方向に延在する第１のコネクタの長さ２６を有し、該第２のコネクタ２４は、円周方向に延在する第２のコネクタの長さ２６を有し、
該円周方向要素１４の第１の長さ２０と、該円周方向要素１４に結合された該第１のコネクタの長さ２６と、該円周方向要素１４に結合された該第２のコネクタの長さ２６とを加算した長さは、総円周方向の長さ２８に等しく、
各コネクタの長さ２６は、該総円周方向の長さ２８の２．５％と２５％との間であり、それによって、軸方向可撓性が、展開動態を犠牲にすることなく、該本体に対して提供され、
該第２の円周方向要素１４と該第３の円周方向要素１４とは、応力解放スロット３０によって分離され、該第２の円周方向要素１４の第１の端部１６における第１のコネクタ２２と、該第３の円周方向要素１４の第１の端部１６における第１のコネクタ２２とは、該応力解放スロット３０によって分離され、各応力解放スロットは、該総円周方向の長さ２８の５０％より大きくかつ９５％より小さい円周方向に延在する解放スロットの長さ３２を有し、
該応力解放スロット３０は、該解放スロットの長さの大部分にわたる狭小幅部分４７を有し、該狭小幅部分は、約３ｍｍ以下の側方寸法を有する、
血管プロテーゼ１０。
【請求項２】
前記プロテーゼは、形状記憶材料を備えている、請求項１に記載の血管プロテーゼ。
【請求項３】
前記円周方向要素および前記コネクタのうちの少なくとも１つは、略長方形である、請求項１〜２のいずれか一項に記載の血管プロテーゼ。
【請求項４】
前記狭小幅部分は、１ｍｍ未満の側方寸法を有する、請求項１〜３のいずれか一項に記載の血管プロテーゼ。
【請求項５】
前記狭小幅部分は、前記解放スロットの略全長にわたって延在する、請求項１〜４のいずれか一項に記載の血管プロテーゼ。
【請求項６】
前記円周方向に延在する第１の長さは、等しい長さである、請求項１〜５のいずれか一項に記載の血管プロテーゼ。
【請求項７】
前記コネクタは、略三角形である、請求項１〜６のいずれか一項に記載の血管プロテーゼ。
【請求項８】
前記円周方向要素の一端におけるコネクタは、治療血管直径において、該円周方向要素の他端におけるコネクタと重なる、請求項１〜７のいずれか一項に記載の血管プロテーゼ。
【請求項９】
前記円周方向要素の長さは、その幅より２倍超大きい、請求項１〜８のいずれか一項に記載の血管プロテーゼ。
【請求項１０】
前記円周方向要素は、前記総円周方向の長さの５０％より大きくかつ９５％より小さい長さを有する円周方向に延在するスロットを含む、請求項１〜９のいずれか一項に記載の血管プロテーゼ。
【請求項１１】
前記円周方向要素の幅は、縦軸に沿って変動する、請求項１〜１０のいずれか一項に記載の血管プロテーゼ。
【請求項１２】
前記総円周方向の長さは、縦軸に沿って変動する、請求項１〜１１のいずれか一項に記載の血管プロテーゼ。
【請求項１３】
前記応力解放スロットの長さは、前記総円周方向の長さの２／３より大きい、請求項１〜１２のいずれか一項に記載の血管プロテーゼ。
【請求項１４】
前記応力解放スロットは、応力集中を制限するために、湾曲閉鎖端部を有し、
該応力解放スロットの湾曲閉鎖端部を囲む領域内の前記本体は、該本体の残りに対する平均表面積より広い表面積を有している、請求項１〜１３のいずれか一項に記載の血管プロテーゼ。
【請求項１５】
血管プロテーゼ１０であって、
軸を規定する略管状本体１２を備え、該本体は、収縮状態および拡張状態になることが可能であり、該拡張状態における軸方向の長さおよび円周方向寸法を有し、
該本体は、
第１、第２、第３、および第４の円周方向要素を含む一連の円周方向要素１４であって、各円周方向要素は、第１の端部１６および第２の端部１８を有し、該第１の端部および該第２の端部は、円周方向に離間され、該円周方向要素の各々は、該第１の端部と該第２の端部との間で円周方向に延在する第１の長さ２０を有する、一連の円周方向要素１４と、
第１のコネクタ２２および第２のコネクタ２４と
を備え、
該第１のコネクタ２２および該第２のコネクタ２４は、交互する隣接する円周方向要素の端部を結合し、該第１のコネクタ２２が、該第１円周方向要素の第１の端部１６と該第２の円周方向要素の第１の端部１６とを結合し、かつ、該第３の円周方向要素の第１の端部１６と該第４の円周方向要素の第１の端部１６とを結合し、該第２のコネクタ２４が、該第２の円周方向要素の第２の端部１８と該第３の円周方向要素の第２の端部１８とを結合し、それによって、該円周方向要素および該コネクタの略蛇行パターンを生成し、
該円周方向要素１４および該コネクタ２２、２４は、略長方形であり、
該円周方向要素１４の第１の長さ２０は、該円周方向要素の幅３８より２倍超大きく、
該第１のコネクタ２２は、円周方向に延在する第１のコネクタの長さ２６を有し、該第２のコネクタ２４は、円周方向に延在する第２のコネクタの長さ２６を有し、
該円周方向要素１４の第１の長さ２０と、該円周方向要素１４に結合された該第１のコネクタの長さ２６と、該円周方向要素１４に結合された該第２のコネクタの長さ２６とを加算した長さは、総円周方向の長さ２８に等しく、
各コネクタの長さ２０は、該総円周方向の長さ２８の２．５％と２５％との間であり、それによって、軸方向可撓性が、展開動態を犠牲にすることなく、該本体に対して提供され、
該第２の円周方向要素１４と該第３の円周方向要素１４とは、応力解放スロット３０によって分離され、該第２の円周方向要素の第１の端部１６における第１のコネクタ２２と、該第３の円周方向要素の第１の端部１６における第１のコネクタ２２とは、該応力解放スロット３０によって分離され、各応力解放スロットは、該総円周方向の長さ２８の５０％より大きくかつ９５％より小さい円周方向に延在する解放スロットの長さ３２を有し、
該応力解放スロットは、応力集中を制限するために、湾曲閉鎖端部４６を有し、
該応力解放スロットは、該解放スロットの略全体にわたる狭小幅部分４７を有し、該狭小幅部分は、約３ｍｍ以下の側方寸法を有する、
血管プロテーゼ１０。
【手続補正２】
【補正対象書類名】明細書
【補正対象項目名】００１９
【補正方法】変更
【補正の内容】
【００１９】
本発明の他の特徴、側面、および利点は、図面、発明を実施するための形態、および続く請求項の検証から理解され得る。
本願明細書は、例えば、以下の項目も提供する。
（項目１）
血管プロテーゼであって、
軸を規定する略管状本体を備え、該本体は、収縮状態および拡張状態になることが可能であり、該拡張状態における軸方向の長さおよび円周方向寸法を有し、
該本体は、
第１、第２、第３、および第４の円周方向要素を含む一連の円周方向要素であって、各円周方向要素は、第１の端部および第２の端部を有し、該第１の端部および該第２の端部は、円周方向に離間され、該円周方向要素の各々は、該第１の端部と該第２の端部との間で円周方向に延在する第１の長さを有する、一連の円周方向要素と、
第１のコネクタおよび第２のコネクタと
を備え、
該第１のコネクタおよび該第２のコネクタは、交互する隣接する円周方向要素の端部を結合し、該第１のコネクタが、該第１円周方向要素の第１の端部と該第２の円周方向要素の第１の端部とを結合し、かつ、該第３の円周方向要素の第１の端部と該第４の円周方向要素の第１の端部とを結合し、該第２のコネクタが、該第２の円周方向要素の第２の端部と該第３の円周方向要素の第２の端部とを結合し、それによって、該円周方向要素および該コネクタの略蛇行パターンを生成し、
該第１のコネクタは、円周方向に延在する第１のコネクタの長さを有し、該第２のコネクタは、円周方向に延在する第２のコネクタの長さを有し、
該円周方向要素の第１の長さと、該円周方向要素に結合された該第１のコネクタの長さと、該円周方向要素に結合された該第２のコネクタの長さとを加算した長さは、総円周方向の長さに等しく、
各コネクタの長は、該総円周方向の長さの２．５％と２５％との間であり、それによって、軸方向可撓性が、展開動態を犠牲にすることなく、該本体に対して提供され、
該第２の円周方向要素と該第３の円周方向要素とは、応力解放スロットによって分離され、該第２の円周方向要素の第１の端部における第１のコネクタと、該第３の円周方向要素の第１の端部における第１のコネクタとは、該応力解放スロットによって分離され、各応力解放スロットは、該総円周方向の長さの５０％より大きくかつ９５％より小さい円周方向に延在する解放スロットの長さを有し、
該応力解放スロットは、該解放スロットの長さの大部分にわたる狭小幅部分を有し、該狭小幅部分は、約３ｍｍ以下の側方寸法を有する、
血管プロテーゼ。
（項目２）
前記プロテーゼは、形状記憶材料を備えている、項目１に記載の血管プロテーゼ。
（項目３）
前記円周方向要素および前記コネクタのうちの少なくとも１つは、略長方形である、項目１〜２のいずれか一項に記載の血管プロテーゼ。
（項目４）
前記円周方向要素および前記コネクタは、略長方形である、項目１〜３のいずれか一項に記載の血管プロテーゼ。
（項目５）
前記狭小幅部分は、１ｍｍ未満の側方寸法を有する、項目１〜４のいずれか一項に記載の血管プロテーゼ。
（項目６）
前記狭小幅部分は、０．５ｍｍ未満の側方寸法を有する、項目１〜５のいずれか一項に記載の血管プロテーゼ。
（項目７）
前記狭小幅部分は、前記解放スロットの略全長にわたって延在する、項目１〜６のいずれか一項に記載の血管プロテーゼ。
（項目８）
前記第１の長さは、等しい長さである、項目１〜７のいずれか一項に記載の血管プロテーゼ。
（項目９）
前記コネクタの長は、等しい長さである、項目１〜８のいずれか一項に記載の血管プロテーゼ。
（項目１０）
前記コネクタは、略三角形である、項目１〜９のいずれか一項に記載の血管プロテーゼ。
（項目１１）
前記円周方向要素の一端におけるコネクタは、治療血管直径において、該円周方向要素の他端におけるコネクタと重なる、項目１〜１０のいずれか一項に記載の血管プロテーゼ。
（項目１２）
前記円周方向要素の一端におけるコネクタは、治療血管直径において、０．１２０’’未満の該円周方向要素の他端におけるコネクタとの空隙を生成する、項目１〜１０のいずれか一項に記載の血管プロテーゼ。
（項目１３）
前記円周方向要素の長さは、その幅に略等しい、項目１〜１２のいずれか一項に記載の血管プロテーゼ。
（項目１４）
前記円周方向要素の長さは、その幅より２倍超大きい、項目１〜１２のいずれか一項に記載の血管プロテーゼ。
（項目１５）
前記円周方向要素は、前記総円周方向の長さの５０％より大きくかつ９５％より小さい長さを有する円周方向に延在するスロットを含む、項目１〜１４のいずれか一項に記載の血管プロテーゼ。
（項目１６）
前記円周方向要素の幅は、前記縦軸に沿って変動する、項目１〜１５のいずれか一項に記載の血管プロテーゼ。
（項目１７）
前記総円周方向の長さは、前記縦軸に沿って変動する、項目１〜１６のいずれか一項に記載の血管プロテーゼ。
（項目１８）
前記総円周方向の長さは、前記縦軸に沿って減少する、項目１〜１７のいずれか一項に記載の血管プロテーゼ。
（項目１９）
前記円周方向要素の高さは、前記縦軸に沿って変動する、項目１〜１８のいずれか一項に記載の血管プロテーゼ。
（項目２０）
前記一連の円周方向要素は、分岐に対応するために、２つの独立した一連の円周方向要素に移行する、項目１〜１９のいずれか一項に記載の血管プロテーゼ。
（項目２１）
少なくとも複数のコネクタは、該コネクタの少なくとも一部にわたり、前記円周方向要素と比較して、より広い表面積を有し、それによって、該コネクタの強度および放射線不透過性が向上されている、項目１〜２０のいずれか一項に記載の血管プロテーゼ。
（項目２２）
前記応力解放スロットの長さは、前記総円周方向の長さの２／３より大きい、項目１〜２１のいずれか一項に記載の血管プロテーゼ。
（項目２３）
前記応力解放スロットは、その長さの大部分にわたって、略ミラーリングされた辺を有している、項目１〜２２のいずれか一項に記載の血管プロテーゼ。
（項目２４）
前記応力解放スロットの前記狭小幅部分は、直線の辺を有している、項目１〜２３のいずれか一項に記載の血管プロテーゼ。
（項目２５）
前記応力解放スロットは、応力集中を制限するために、湾曲閉鎖端部を有している、項目１〜２４のいずれか一項に記載の血管プロテーゼ。
（項目２６）
前記応力解放スロットの湾曲閉鎖端部を囲む領域内の前記本体は、該本体の残りに対する平均表面積より広い表面積を有している、項目２５に記載の血管プロテーゼ。
（項目２７）
前記応力解放スロットの湾曲閉鎖端部は、少なくとも０．２５ｍｍに対して、孔が実質的に存在しない、項目２５に記載の血管プロテーゼ。
（項目２８）
前記狭小幅部分に隣接する領域内の前記本体は、少なくとも０．２５ｍｍに対して、孔が実質的に存在しない、項目１〜２７のいずれか一項に記載の血管プロテーゼ。
（項目２９）
前記応力解放スロットは、可変長を有する、項目１〜２８のいずれか一項に記載の血管プロテーゼ。
（項目３０）
血管プロテーゼであって、
軸を規定する略管状本体を備え、該本体は、収縮状態および拡張状態になることが可能であり、該拡張状態における軸方向の長さおよび円周方向寸法を有し、
該本体は、
第１、第２、第３、および第４の円周方向要素を含む一連の円周方向要素であって、各円周方向要素は、第１の端部および第２の端部を有し、該第１の端部および該第２の端部は、円周方向に離間され、該円周方向要素の各々は、該第１の端部と該第２の端部との間で円周方向に延在する第１の長さを有する、一連の円周方向要素と、
第１のコネクタおよび第２のコネクタと
を備え、
該第１のコネクタおよび該第２のコネクタは、交互する隣接する円周方向要素の端部を結合し、該第１のコネクタが、該第１円周方向要素の第１の端部と該第２の円周方向要素の第１の端部とを結合し、かつ、該第３の円周方向要素の第１の端部と該第４の円周方向要素の第１の端部とを結合し、該第２のコネクタが、該第２の円周方向要素の第２の端部と該第３の円周方向要素の第２の端部とを結合し、それによって、該円周方向要素および該コネクタの略蛇行パターンを生成し、
該円周方向要素および該コネクタは、略長方形であり、
該円周方向要素の長さは、該円周方向要素の幅より２倍超大きく、
該第１のコネクタは、円周方向に延在する第１のコネクタの長さを有し、該第２のコネクタは、円周方向に延在する第２のコネクタの長さを有し、
該円周方向要素の第１の長さと、該円周方向要素に結合された該第１のコネクタの長さと、該円周方向要素に結合された該第２のコネクタの長さとを加算した長さは、総円周方向の長さに等しく、
各コネクタの長は、該総円周方向の長さの２．５％と２５％との間であり、それによって、軸方向可撓性が、展開動態を犠牲にすることなく、該本体に対して提供され、
該第２の円周方向要素と該第３の円周方向要素とは、応力解放スロットによって分離され、該第２の円周方向要素の第１の端部における第１のコネクタと、該第３の円周方向要素の第１の端部における第１のコネクタとは、該応力解放スロットによって分離され、各応力解放スロットは、該総円周方向の長さの５０％より大きくかつ９５％より小さい円周方向に延在する解放スロットの長さを有し、
該応力解放スロットは、応力集中を制限するために、湾曲閉鎖端部を有し、
該応力解放スロットは、該解放スロットの略全体にわたる狭小幅部分を有し、該狭小幅部分は、約３ｍｍ以下の側方寸法を有する、
血管プロテーゼ。
（項目３１）
前記総円周方向の長さは、前記縦軸に沿って減少する、項目３０に記載の血管プロテーゼ。